(57)【要約】      （修正有）【課題】非接触型のスキミング機器から、財布やカード入れに収納しているクレジットカードやキャッシュカードなどのカード類の不正スキミングを防止する方法。【解決手段】  財布やカード入れなどに挿入、貼り付けて使用し易いように、折り曲げたり、切断し易いようにシールド材を分離させてコーティングする方法であり、スキミング防止に有効なシールド素材として、金、銀、銅、鉄、ステンレス、鉛、真鍮などの金属類が考えられる。それらの金属を金箔などのように薄くした金属箔に、薄いプラスチックフィルムなどで挟み合わせ腐食や破損を防止するためのコーティングを施したものである。【選択図】  図１
2006181327.tif 000002
【特許請求の範囲】
【請求項１】
カード入れや財布、札入れ、鞄、被服のポケットなどの内部に挿入、貼り付け、または縫製して使用するスキミング防止フィルムである。
【発明の詳細な説明】
【背景技術】  近年、キャッシュカードやクレジットカードなどのカード類の磁気に読み込まれている情報を不正目的で盗み取り、そのカードの持ち主に成り済ませて金品を搾取したり、金融機関の口座から金銭を不正に引き出すという、スキミングによるカード被害が急増している。
スキミングの方法も、直接カードに接触しなくても、至近距離から、スキミング出来る専用の機器も開発されていて、その機器を使用すれば、カードの所有者に全く感知されずに、鞄や財布の中に入っているカードの情報を容易く盗み取る事が出来るのである。
この至近距離からの非接触型のスキミングは、布や皮革、人工皮革、プラスチックなどの石油化学製品などを素材とした財布や鞄などに収納しているカード類でも簡単にスキミングする事が可能である。
【発明が解決しようとする課題】
近年のスキミングによるカード被害は、クレジットカードやキャッシュカードなどのカード類を収納している財布などが、布や皮革、人工皮革、プラスチックなどの石油化学製品などを素材としている為、スキミング専用の機器に対して防御する事が出来ないのである。
一般に、金、銀、銅、鉄、ステンレス、真鍮、鉛、アルミニウムなどの金属で覆うと、カードのスキミングは不可能とされている。しかしながら、それらの金属で作られた財布を使用している人は皆無である。また、金属製の財布などは使用感が悪く一般に普及するのは困難であると考えられる。
【発明の効果】
本発明は、新品を製造する時や、現在使用している財布やカード入れなどに挿入、貼り付け、もしくは縫製する事により、その財布やカード入れに収納しているクレジットカードやキャッシュカードをスキミングされる事から防御することが出来る、スキミング防止フィルムである。この防止フィルムは、極めて薄いため、現在使用している財布やカード入れなどに挿入、装着、縫製しても何ら違和感がなく、今まで使用していた財布やカード入れなどに簡単にスキミング防止機能を付加させる事ができる。
また、財布やカード入れなどの中に挿入、貼り付け、縫製するので、財布やカード入れなどの外観やデザインを損ねる事もない。
【発明を実施する最良の形態】
本発明のスキミング防止フィルムは、クレジットカードやキャッシュカードなどの、カード類の情報をスキミングによって読み取られる事を防止することが目的であり、それにより、カードの不正使用や詐欺、金融機関からの金銭の不正引き出しを未然に防御する事が出来る。
一般に、クレジットカードやキャッシュカードなどのカード類は、財布やカード入れ、鞄、被服のポケットに収納して所持している。その所持形態から財布やカード入れなどをスキミングから防止（シールド）するのが最良と考えられる。通常、財布やカード入れは二つ折りの形状か、開口部がファスナーなどで閉じられる形状の物が一般的である。
本発明のスキミング防止フィルムは
【図１】
の
【符号】
１が金箔などの電磁波の遮断に有効な金属で出来ている。この素材は金、銀、銅、鉛、真鍮、鉄、ステンレス、アルミニウムなどの金属の他、電磁波等を遮断する効力があれば、プラスチックなどの石油化学製品や、その他の如何なる素材でも利用可能であるし、それら２種類以上の素材を組み合わせても良い。
【図１】
の
【符号】
２は、
【図１】
の
【符号】
１の金属箔などを錆などの腐食や亀裂、変形などから防止するための防護フィルムであり、プラスチックなどの石油化学製の極めて薄いフィルムなどを、接着剤や熱により圧着させている。この
【図１】
の
【符号】
２は、上記のようなフィルムでなくても、石油化学製の高分子樹脂やニス、漆等で
【図１】
の
【符号】
１の金属箔などの表面と側面をコーティングすれば、同様の効果が得られるので特に素材を限定する必要はなく、また、
【図１】
の
【符号】
１が腐食や亀裂、破損等に耐えられる素材であれば、
【図１】
の
【符号】
２は必要ではない。
【図１】
の
【符号】
３は折り曲げて使用する際に折り曲げやすいようにする為に、
【図１】
の
【符号】
１の金属箔などを挟み込まずに、
【図１】
の
【符号】
２の防護フィルム等だけを張り合わせているだけである。この
【図１】
の
【符号】
３は、財布やカード入れなどに挿入、貼り付け、縫製して使用する場合に折り易くする利用方法以外にも、この部分を切断することで複数枚に分離して使用することも可能となる、いわば切り取り線の役割も果たす。
【図１】
の
【符号】
１の素材が簡単に折れたり、切断できる素材であれば、この
【図１】
の
【符号】
３は特に必要ではなく、折りやすくしたり、切り離しやすくする為のヒンジ構造にしておく事も可能である。また、
【図１】
では
【符号】
３は、１箇所であるが数ヶ所あっても問題はない。
本発明のスキミング防止フィルムは、財布やカード入れなどに挿入、貼り付け、または縫製して使用する為に、現在所持している財布などに使用する場合は、両面テープを付属品として提供するのが最良であるが、貼り付け専用として、
【図２】
の
【符号】
４のように、あらかじめ本発明のスキミング防止フィルムの片面に両面テープを貼り付けて提供する方法も可能である。
【産業上の利用可能性】  本発明は、クレジットカードやキャッシュカードなどのカード類のスキミング防止フィルムとして、既に使用している財布やカード入れなどに挿入、貼り付け、縫製する事で簡単に電磁波シールド機能を付加する事が可能となり、現在社会問題となっているスキミングによるカード被害を大幅に軽減させる事が出来る。
本発明のスキミング防止フィルムは、本発明品のみを単独で提供して、既存の財布やカード入れなどに後付けするのが基本的な使用方法であるが、新品を製造する場合も同様の効果がある為、あらかじめ財布やカード入れなどに本発明のスキミング防止フィルムを付加させて、スキミング防止財布やスキミング防止カード入れとして提供することも可能である。
また、鞄に使用する場合は、その内側全体に本発明のスキミング防止フィルムを挿入、貼り付ける事で、鞄全体に電磁波シールドを付加させる事が出来、スキミングの防止をする事も出来る。その他に、被服のポケットに挿入、貼り付ければ上記と同様にスキミング防止服やスキミング防止ズボンが出来上がる。それら鞄や服、ズボン用のスキミング防止フィルムとして提供する事にも可能であるばかりか、あらかじめ本発明品を貼り付けた、スキミング防止鞄、スキミング防止服、スキミング防止ズボンとして提供することも可能であり、その他あらゆる被服にも適用できる。またそれらを新品で製造する場合も同様の効果が得られる。
以上のように、本発明のスキミング防止フィルムは多種多様の商品に応用することが可能であり、様々な産業上の利用可能性が考えられる。
また、カード被害を未然に防ぐことで、社会に多大に貢献できる発明である。
【図面の簡単な説明】
【図１】「スキミング防止フィルム全体を示した平面図である。」
【図２】「スキミング防止フィルムの拡大断面図である。」
【図３】「二つ折り財布に貼り付けた使用例の斜視図である。」
【符号の説明】
１  金属箔
２  防護フィルム
３  折り曲げ、切り取り部
４  両面テープ
５  二つ折り財布
６  カード類収納部
７  スキミング防止フィルム
８  カード類
【図１】
2006181327.tif 000003
【図２】
2006181327.tif 000004
【図３】
2006181327.tif 000005